(57)【要約】【課題】この発明の課題は、首筋に巻くことにより、適宜な温度設定や、適宜な時間設定により、発熱体の保温効果に優れ、首筋を暖めて血液の循環をはかり、首のこりを解消できる低電圧用首こり解消バンドを開発・提供することにある。【解決手段】首回りに装着するバンド本体（１）を設け、該バンド本体（１）内に、発熱体（２）を内蔵し、該発熱体（２）を電圧コントローラー（３）で制御すると共に、該発熱体（３）を、潜熱蓄熱材（４）で被覆したことを特徴とする低電圧用首こり解消バンドより構成されるものである。【選択図】  図１
2017023254.tif 000002
【特許請求の範囲】
【請求項１】
首回りに装着するバンド本体（１）を設け、
該バンド本体（１）内に、発熱体（２）を内蔵し、
該発熱体（２）を電圧コントローラー（３）で制御すると共に、
該発熱体（３）を、潜熱蓄熱材（４）で被覆した
ことを特徴とする低電圧用首こり解消バンド。
【請求項２】
適宜な幅寸法（α）を有し、首回りに装着するバンド本体（１）を設け、
該バンド本体（１）の内部には、発熱体（２）を設け、
該発熱体（２）をシリコンゴム（５）で覆い、
該シリコンゴム（５）を潜熱蓄熱材（４）で覆い、
且つ、該潜熱蓄熱材（４）をラミネートフィルム（６）で覆い、
該ラミネートフィルム（６）を、内・外異なる繊維材（７）で被覆した
ことを特徴とする低電圧用首こり解消バンド。
【請求項３】
前記バンド本体（１）の一端には伸縮バンド（１ａ）を連結して設け、
該伸縮バンド（１ａ）の他端には面ファスナー（１ｂ）を設け、
前記バンド本体（１）の一端にも面ファスナー（１ｃ）を設けた
ことを特徴とする請求項１または２記載の低電圧用首こり解消バンド。
【請求項４】
前記電圧コントローラー（３）は、適宜な設定温度と設定時間で切れる
ことを特徴とする請求項１記載の低電圧用首こり解消バンド。
【請求項５】
前記潜熱蓄熱材（４）が、顆粒状のパラフィンに、シリカゲルを加えたものである
ことを特徴とする請求項１または２記載の低電圧用首こり解消バンド。
【発明の詳細な説明】
【技術分野】
【０００１】
この発明は、低電圧用首こり解消バンドに関するものである。
【背景技術】
【０００２】
従来、労働作業や精神的な緊張等により、首筋がこり、これに対して、首筋の患部をマッサージしたり、貼り薬を貼付したり液体状の塗り薬等を塗布して対応していた。
【０００３】
しかし、首筋は比較的目たちやすい箇所であり、貼り薬を貼付したまま外出することには抵抗があり、また、液体状の塗り薬を塗布しても臭いがあるものであり、抵抗がある。  
【０００４】
そこで、患部である首筋を暖めることにより、血管内を流れる血液の循環をよくして鬱血をなくして首部の凝りを無くすることが考えられる。そのため、蓄熱性温熱器具は、既に開発されている。例えば、特許文献１のように。
【先行技術文献】
【特許文献】
【０００５】
【特許文献１】特開２００９−２１３７０１号公報
【発明の概要】
【発明が解決しようとする課題】
【０００６】
そこで、この発明の課題は、首筋に巻くことにより、適宜な温度設定や、適宜な時間設定により、発熱体の保温効果に優れ、首筋を暖めて血液の循環をはかり、首のこりを解消できる低電圧用首こり解消バンドを開発・提供することにある。
【課題を解決するための手段】
【０００７】
この発明の低電圧用首こり解消バンドは、
首回りに装着するバンド本体を設け、
該バンド本体内に、発熱体を内蔵し、
該発熱体を電圧コントローラーで制御すると共に、
該発熱体を、潜熱蓄熱材で被覆した
ことを特徴とする。
【０００８】
そして、
適宜な幅寸法を有し、首回りに装着するバンド本体を設け、
該バンド本体の内部には、発熱体を設け、
該発熱体をシリコンゴムで覆い、
該シリコンゴムを潜熱蓄熱材で覆い、
且つ、該潜熱蓄熱材をラミネートフィルムで覆い、
該ラミネートフィルムを、内・外異なる繊維材で被覆した
ことを特徴とする。
【０００９】
さらに、
前記バンド本体の一端には伸縮バンドを連結して設け、
該伸縮バンドの他端には面ファスナーを設け、
前記バンド本体の一端にも面ファスナーを設けた
ことを特徴とする。
【００１０】
また、
前記電圧コントローラーは、適宜な設定温度と設定時間で切れる
ことを特徴とする。
【００１１】
さらには、
前記潜熱蓄熱材が、顆粒状のパラフィンに、シリカゲルを加えたものである
ことを特徴とする。
【発明の効果】
【００１２】
この発明によると、首こり解消バンドに潜熱蓄熱材を内包することにより、熱を貯蔵し低電圧で首部を暖めることにより首部を通る血管を暖めることにより血流をよくし、首の凝りを解消できる等の極めて有益なる効果を奏する。
【図面の簡単な説明】
【００１３】
【図１】この発明の一実施例を示す正面図である。
【図２】図１中Ａ−Ａ拡大断面図である。
【図３】この発明に使用する電圧コントローラーの説明図である。
【発明を実施するための形態】
【００１４】
以下、この発明について詳細に説明する。尚、この発明においては、以下の記述に限定されるものではなく、この発明の要旨を逸脱しない範囲においては適宜変更可能である。
【実施例】
【００１５】
先ず、この発明の第１の発明の一実施例を図面に基づいて詳述すると、首回りに装着するバンド本体（１）を設け、該バンド本体（１）内に、発熱体（２）を内蔵し、該発熱体（２）を電圧コントローラー（３）で制御すると共に、該発熱体（３）を、潜熱蓄熱材（４）で被覆したことを特徴とする低電圧用首こり解消バンドより構成されるものである。  
【００１６】
次に、この発明の第２の発明の一実施例を図面に基づいて詳述すると、適宜な幅寸法（α）を有し、首回りに装着するバンド本体（１）を設け、該バンド本体（１）の内部には、発熱体（２）を設け、該発熱体（２）をシリコンゴム（５）で覆い、該シリコンゴム（５）を潜熱蓄熱材（４）で覆い、且つ、該潜熱蓄熱材（４）をラミネートフィルム（６）で覆い、該ラミネートフィルム（６）を、内側が綿・外側が化繊からなる繊維材（７）で被覆したことを特徴とする低電圧用首こり解消バンドから構成されるものである。
【００１７】
なお、前記の首回りに装着するバンド本体（１）の適宜な幅寸法（α）とは、首に巻くものであるので２〜３ｃｍ程度であり、太くしても５ｃｍ程度である。
【００１８】
また、前記各バンド本体（１）の一端には伸縮バンド（１ａ）を連結して設け、該伸縮バンド（１ａ）の他端には面ファスナー（１ｂ）を設け、前記バンド本体（１）の一端にも面ファスナー（１ｃ）を設け、これら面ファスナー（１ｂ），（１ｃ）を用いて首に巻き付けてることにより伸縮バンド（１ａ）の作用により首に調整して固定することを特徴とする低電圧用首こり解消バンドである。
【００１９】
さらに、前記電圧コントローラー（３）は、サーモスタットであり、使用時間は１５分で自動的に切れる構成であり、使用温度は、「強」、「中」、「弱」と３つの温度となっており、本体（３ａ）にダイヤル（３ｂ）を回動することにより、上記「強」、「中」、「弱」の位置に合わせるものであり、温度は、４２°Ｃまで上昇すると切れる構成となっており、パイロットランプ（３ｃ）の点・滅によって外部より判明できる。
また、電源は、パソコンからＵＳＢケーブルを介して取り込むものである。
【００２０】
また、前記潜熱蓄熱材（４）は種々存在するが、顆粒状のパラフィンに、シリカゲルを加えたものであることを特徴とする低電圧用首こり解消バンドである。
【産業上の利用可能性】
【００２１】
この発明の低電圧用首こり解消バンドの技術を確立し、実施することにより、産業上利用できるものである。
【符号の説明】
【００２２】
１  バンド本体
１ａ  伸縮バンド
１ｂ  面ファスナー
１ｃ  面ファスナー
２  発熱体
３  電圧コントローラー
３ａ  コントローラー本体
３ｂ  ダイヤル
３ｃ  パイロットランプ
４  潜熱蓄熱材
５  シリコンゴム
６  ラミネートフィルム
７  繊維材
α  幅寸法
【図１】
2017023254.tif 000003
【図２】
2017023254.tif 000004
【図３】
2017023254.tif 000005